(57)【要約】【課題】安全に解体重機を建物の上階に吊り上げて建物の解体コストを低減する。【解決手段】建物の解体方法は、解体重機１を建物２０の上階に移動する重機移動工程と、解体重機１が建物２０を上階から下階に解体しながら降下する解体工程とで建物２０を解体する。重機移動工程は、吊上ウインチ５を解体重機１に装備する重機準備工程と、解体重機１が配置される階の天井２７である階上の床２２よりも上階の床２２に、ワイヤー６を挿通可能な貫通孔２４を穿孔する穿孔工程と、貫通孔２４の下に、解体重機１で天井２７の一部を破壊して解体重機１を通過できる通過穴２３を開口する開口工程と、吊上ウインチ５のワイヤー６を通過穴２３と貫通孔２４に通過させるワイヤー挿通工程と、ワイヤー６の先端を建物２０の上階に固定するワイヤー固定工程と、吊上ウインチ５でワイヤー６を巻き取って解体重機１を吊り上げて上階に移動する重機吊り上げ工程とを含んでいる。【選択図】図１
2018053493.tif 000002
【特許請求の範囲】
【請求項１】
建物を破壊する解体具をアームの先端に装備する解体重機を建物の上階に移動する重機移動工程と、
建物の上階に移動された前記解体重機が建物を上階から下階に解体しながら降下する解体工程とで建物を解体する建物の解体方法であって、
前記重機移動工程が、
解体重機を吊り上げることができる吊り上げ力の吊上ウインチを前記解体重機に装備する重機準備工程と、
前記解体重機が配置される階の天井である階上の床よりも上階の床に、ワイヤーを挿通可能な貫通孔を上下に貫通して穿孔する穿孔工程と、
前記貫通孔の真下の位置において、前記解体重機で天井の一部を破壊して前記解体重機を通過できる通過穴を階上の床（Ｆ２）に開口する開口工程と、
前記解体重機に装備した吊上ウインチから繰り出されるワイヤーを、前記通過穴と前記貫通孔とに通過させて建物の下階から上階に挿通するワイヤー挿通工程と、
前記ワイヤーの先端を建物の上階に固定するワイヤー固定工程と、
前記吊上ウインチで前記ワイヤーを巻き取って、前記解体重機を吊り上げて前記通過穴に通過させて建物の上階に移動する重機吊り上げ工程と
を含むことを特徴とする建物の解体方法。
【請求項２】
請求項１に記載される建物の解体方法であって、
前記穿孔工程において、複数階にわたって上階の床に前記貫通孔を穿孔すると共に、各階に穿孔される該貫通孔を垂直方向に直線状に配置し、
さらに、前記重機吊り上げ工程の後工程として、前記解体重機を吊り上げて通過させた前記通過穴に支持部材を橋渡しして、前記支持部材上に前記解体重機を載せて支持する重機支持工程と、
前記支持部材で支持された前記解体重機で、天井の一部であって前記貫通孔の周囲を破壊して前記解体重機を通過できる通過穴を階上の床（Ｆ３）に開口する第２開口工程とを備え、
前記重機吊り上げ工程と、前記重機支持工程と、前記第２開口工程とを繰り返して、前記解体重機を複数階にわたって建物の上階に移動させることを特徴とする建物の解体方法。
【請求項３】
請求項１または２に記載される建物の解体方法であって、
前記重機吊り上げ工程で建物の上階に移動された解体重機を、上階の床面上に乗り入れる乗り入れ工程と、
前記解体重機を乗り入れた階の天井である階上の床よりも上階の床に、ワイヤーを挿通可能な貫通孔を上下に貫通して穿孔する第２穿孔工程と、
前記貫通孔の真下の位置において、前記解体重機で天井の一部を破壊して前記解体重機を通過できる通過穴を階上の床に開口する第３開口工程と、
前記解体重機に装備してなる吊上ウインチから繰り出されるワイヤーを、前記通過穴と前記貫通孔とに通過させて建物の下階から上階に挿通する第２ワイヤー挿通工程と、
前記ワイヤーの先端を建物の上階に固定する第２ワイヤー固定工程と、
前記吊上ウインチで前記ワイヤーを巻き取って、前記解体重機を吊り上げて前記通過穴に通過させて建物の上階に移動する第２重機吊り上げ工程と
により、前記解体重機を建物の上階に移動させることを特徴とする建物の解体方法。
【請求項４】
請求項３に記載される建物の解体方法であって、
前記第２穿孔工程において、複数階にわたって上階の床に前記貫通孔を穿孔すると共に、各階に穿孔される該貫通孔を垂直方向に直線状に配置し、
さらに、前記第２重機吊り上げ工程の後工程として、前記解体重機を吊り上げて通過させた前記通過穴に支持部材を橋渡しして、前記支持部材上に前記解体重機を載せて支持する第２重機支持工程と、
前記支持部材で支持された前記解体重機で、天井の一部であって前記貫通孔の周囲を破壊して前記解体重機を通過できる通過穴を階上の床に開口する第４開口工程とを備え、
前記第２重機吊り上げ工程と、前記第２重機支持工程と、前記第４開口工程とを繰り返して、前記解体重機を複数階にわたって建物の上階に移動させることを特徴とする建物の解体方法。
【請求項５】
請求項１から４のいずれかに記載される建物の解体方法であって、
前記ワイヤー挿通工程または前記第２ワイヤー挿通工程において、上階の床から、前記貫通孔と前記通過穴とを通過してガイド用線材を降下させると共に、前記ガイド用線材の下端に、前記解体重機に装備した吊上ウインチから繰り出されるワイヤーの先端を連結し、該ガイド用線材を巻き上げて前記ワイヤーを建物の下階から上階に挿通することを特徴とする建物の解体方法。
【請求項６】
建物を破壊する解体具をアームの先端に装備する解体重機を建物の上階に移動する重機移動工程と、
建物の上階に移動された前記解体重機が建物を上階から下階に解体しながら降下する解体工程とで建物を解体する建物の解体方法であって、
前記重機移動工程が、
前記解体重機が配置される階の天井である階上の床よりも上階の床に、ワイヤーを挿通可能な貫通孔を上下に貫通して穿孔する穿孔工程と、
前記貫通孔が開口された上階の床面に、前記解体重機を吊り上げることができる吊り上げ力の吊上ウインチを設置するウインチ設置工程と、
前記貫通孔の真下の位置において、前記解体重機で天井の一部を破壊して前記解体重機を通過できる通過穴を階上の床に開口する開口工程と、
前記吊上ウインチから繰り出されるワイヤーを、前記貫通孔と前記通過穴とに通過させて建物の上階から下階に挿通するワイヤー挿通工程と、
前記ワイヤーの先端を前記解体重機に固定するワイヤー固定工程と、
前記吊上ウインチで前記ワイヤーを巻き取って、前記解体重機を吊り上げて前記通過穴に通過させて建物の上階に移動する重機吊り上げ工程と
を含むことを特徴とする建物の解体方法。
【請求項７】
請求項６に記載される建物の解体方法であって、
前記穿孔工程において、複数階にわたって上階の床に前記貫通孔を穿孔すると共に、各階に穿孔される該貫通孔を垂直方向に直線状に配置し、
さらに、前記重機吊り上げ工程の後工程として、前記解体重機を吊り上げて通過させた前記通過穴に支持部材を橋渡しして、前記支持部材上に前記解体重機を載せて支持する重機支持工程と、
前記支持部材で支持された前記解体重機で、天井の一部であって前記貫通孔の周囲を破壊して前記解体重機を通過できる通過穴を階上の床に開口する第２開口工程とを備え、
前記重機吊り上げ工程と、前記重機支持工程と、前記第２開口工程とを繰り返して、前記解体重機を複数階にわたって建物の上階に移動させることを特徴とする建物の解体方法。
【発明の詳細な説明】
【技術分野】
【０００１】
本発明は、解体重機を建物の上部に移動し、この解体重機で建物を解体しながら降下させて建物全体を解体する建物の解体方法に関し、とくに、建物の周囲に解体重機を吊り上げるクレーンを配置できない建物の解体に最適な解体方法に関する。
【背景技術】
【０００２】
現在、建物は以下の方法で解体している。最も一般的な解体方法は、建物の外側に接近して、建物の屋上まで届く大型アームを装備する解体重機を配置して、この解体重機で建物を外側から解体する方法である。この方法は大型の解体重機を建物に接近して配置するので、建物の周囲に広い道路や敷地を必要とする。このため、周囲に広い道路や空き地のない建物はこの方法で解体できない。また、周囲に電線や電柱のある建物はこれ等が邪魔になって建物を解体できない。
【０００３】
周囲に広い道路や空き地のない建物は、解体重機を建物の上部に吊り上げて、解体重機で建物を解体しながら降下して建物全体を解体している。この方法も、解体重機をクレーンで吊り上げると、建物の周囲に解体重機を吊り下げるクレーンを配置するスペースを必要とする。このため、周囲に道路や空き地のない建物は解体重機を建物の上部に吊り上げできない。
【０００４】
この方法の欠点を解消するために、建物の屋上に解体重機を吊り上げるクレーンを固定し、このクレーンで解体重機を建物の上部に吊り上げる解体方法が開発されている。（特許文献１参照）
【先行技術文献】
【特許文献】
【０００５】
【特許文献１】特開２０１４−４７４７９号公報
【発明の概要】
【発明が解決しようとする課題】
【０００６】
従来の方法は、建物の屋上に架台を設け、この架台に吊上ウインチを設置し、この吊上ウインチで解体重機を建物の上部に吊り上げ、上部に移動された解体重機で建物を解体しながら降下して建物全体を解体する。この方法は、建物の屋上に設けた架台に設置された吊上ウインチで解体重機を吊り上げるために、建物の複数階にわたって解体重機を通過させるための通過穴を開口しており、各階に開口された通過穴を垂直方向に直線状に配置している。このように、解体重機が通過できる大きな通過穴を建物の複数階にわたって形成するのは、極めて手間がかかる問題点がある。それは、コンクリートを破壊できる解体重機を使用できないからである。このため、作業員がコンクリートを破砕する電動ハンマ等を使用して開口する必要があり、この作業に時間と労力がかかってコストが高くなってしまう問題点がある。
【０００７】
また、複数階にわたって開口される通過穴は、吊り上げられる解体重機を通過させるために垂直方向に直線状に設けられるので、これらの通過穴により、建物内には上下に連続する吹き抜け部が形成される。このように高低差のある吹き抜け部は、その形成工程において作業員が落下したり、資材や廃材が高所から落下される危険性があり、極めて作業環境を悪くする。
【０００８】
本発明は、この欠点を解決することを目的に開発されたものである。本発明の重要な目的は、簡単かつ容易に、しかも安全に解体重機を建物の上部に吊り上げでき、さらに建物の解体コストを低減しながら解体重機を建物の上部に移動できる建物の解体方法とを提供することにある。
【課題を解決するための手段及び発明の効果】
【０００９】
本発明の建物の解体方法は、建物２０を破壊する解体具１２をアーム２の先端に装備する解体重機１を建物２０の上階に移動する重機移動工程と、建物２０の上階に移動された解体重機１が建物２０を上階から下階に解体しながら降下する解体工程とで建物２０を解体する。重機移動工程は、解体重機１を吊り上げることができる吊り上げ力の吊上ウインチ５を解体重機１に装備する重機準備工程と、解体重機１が配置される階の天井２７である階上の床２２よりも上階の床２２に、ワイヤー６を挿通可能な貫通孔２４を上下に貫通して穿孔する穿孔工程と、貫通孔２４の真下の位置において、解体重機１で天井２７の一部を破壊して解体重機１を通過できる通過穴２３を階上の床２２に開口する開口工程と、解体重機１に装備した吊上ウインチ５から繰り出されるワイヤー６を、通過穴２３と貫通孔２４とに通過させて建物２０の下階から上階に挿通するワイヤー挿通工程と、ワイヤー６の先端を建物２０の上階に固定するワイヤー固定工程と、吊上ウインチ５でワイヤー６を巻き取って、解体重機１を吊り上げて通過穴２３に通過させて建物２０の上階に移動する重機吊り上げ工程とを含んでいる。
【００１０】
以上の解体方法は、簡単かつ容易に、しかも速やかに解体重機を建物の上部に吊り上げできる特徴がある。それは、以上の解体方法が、従来のように建物の屋上に架台や吊上クレーンを設置することなく、吊上ウインチを装備する解体重機を使用して、吊上ウインチから繰り出されるワイヤーを建物の上階に連結し、ワイヤーを吊上ウインチで巻き取って解体重機を建物の上部に吊り上げるからである。とくに、以上の解体方法は、従来のように、各階の床にあらかじめ大きな通過穴を開口することなく、上階の床には、通過穴に比較して極めて小さな貫通孔を穿孔し、この貫通孔に挿通されたワイヤーを介して解体重機を建物の上階に吊り上げる。また、解体重機を吊り上げる際には、解体重機が配置された階の天井の一部を解体重機で破壊して通過穴を開口するので、簡単かつ容易に解体重機を通過させる通過穴を上階の床のコンクリートに開口することができる。以上の解体方法は、上階の床コンクリートに通過穴を開口する経費を削減できるので、建物を解体するためのトータルコストを相当に低減できる特徴も実現する。また、従来のように、建物の上部から下階まで連通された吹き抜け状の開口部を形成することなく、建物に開口された貫通孔に挿通されたワイヤーを介して解体重機を吊り上げるので、危険な作業を必要とせず、安全に解体重機を建物の上部に移動して建物を解体できる特徴も実現する。
【００１１】
本発明の建物の解体方法は、穿孔工程において、複数階にわたって上階の床２２に貫通孔２４を穿孔すると共に、各階に穿孔される貫通孔２４を垂直方向に直線状に配置し、さらに、重機吊り上げ工程の後工程として、解体重機１を吊り上げて通過させた通過穴２３に支持部材２５を橋渡しして、支持部材２５上に解体重機１を載せて支持する重機支持工程と、支持部材２５で支持された解体重機１で、天井２７の一部であって貫通孔２４の周囲を破壊して解体重機１を通過できる通過穴２３を階上の床２２に開口する第２開口工程とを備え、重機吊り上げ工程と重機支持工程と第２開口工程とを繰り返して、解体重機１を複数階にわたって建物２０の上階に移動させることができる。
【００１２】
以上の解体方法は、複数階にわたって上階の床に貫通孔を穿孔し、通過穴を通過して吊り上げた解体重機を通過穴に橋渡しした支持部材で支持しながら、解体重機で天井の一部を破壊して上階の床に通過穴を設けるので、複数階にわたって開口された貫通孔に挿通されたワイヤーで解体重機を吊り上げながら、上階の床の一部を解体重機で破壊して簡単かつ容易に通過穴を開口することができる。
【００１３】
本発明の建物の解体方法は、重機吊り上げ工程で建物２０の上階に移動された解体重機１を、上階の床面上に乗り入れる乗り入れ工程と、解体重機１を乗り入れた階の天井２７である階上の床２２よりも上階の床２２に、ワイヤー６を挿通可能な貫通孔２４を上下に貫通して穿孔する第２穿孔工程と、貫通孔２４の真下の位置において、解体重機１で天井２７の一部を破壊して解体重機１を通過できる通過穴２３を階上の床２２に開口する第３開口工程と、解体重機１に装備してなる吊上ウインチ５から繰り出されるワイヤー６を、通過穴２３と貫通孔２４とに通過させて建物２０の下階から上階に挿通する第２ワイヤー挿通工程と、ワイヤー６の先端を建物２０の上階に固定する第２ワイヤー固定工程と、吊上ウインチ５でワイヤー６を巻き取って、解体重機１を吊り上げて通過穴２３に通過させて建物２０の上階に移動する第２重機吊り上げ工程とより、解体重機１を建物２０の上階に移動させることができる。
【００１４】
以上の解体方法は、通過穴を開口して解体重機を吊り上げる場所を変更しながら解体重機を建物の上階に移動させるので、建物に開口される通過穴により形成される上下に伸びる吹き抜け部分の高低差を低減しながら解体重機を建物の最上階まで移動できる。とくに、解体重機を上階に乗り入れた状態で、天井の一部を解体重機で破壊して階上の床に通過穴を開口するので、解体重機を床面で安定して支持しながら安全に通過穴を開口することができる。また、建物の構造によって、最下階から最上階まで直線状に解体重機を吊り上げできない特異な構造の建物であっても、解体重機を吊り上げる場所を変更しながら解体重機を吊り上げるので、確実に解体重機を上階まで移動させることができる。
【００１５】
本発明の建物の解体方法は、第２穿孔工程において、複数階にわたって上階の床２２に貫通孔２４を穿孔すると共に、各階に穿孔される貫通孔２４を垂直方向に直線状に配置し、さらに、第２重機吊り上げ工程の後工程として、解体重機１を吊り上げて通過させた通過穴２３に支持部材２６を橋渡しして、支持部材２６上に解体重機１を載せて支持する第２重機支持工程と、支持部材２６で支持された解体重機１で、天井２７の一部であって貫通孔２４の周囲を破壊して解体重機１を通過できる通過穴２３を階上の床２２に開口する第４開口工程とを備え、第２重機吊り上げ工程と第２重機支持工程と第４開口工程とを繰り返して、解体重機１を複数階にわたって建物２０の上階に移動させることができる。
【００１６】
以上の解体方法は、解体重機を吊り上げる位置を変更しながら、解体重機を吊り上げる吊り上げ位置においては、複数階にわたって開口された貫通孔に挿通されたワイヤーで解体重機を吊り上げながら、上階の床の一部を解体重機で破壊して簡単かつ容易に通過穴を開口することができる。
【００１７】
本発明の建物の解体方法は、ワイヤー挿通工程または第２ワイヤー挿通工程において、上階の床２２から、貫通孔２４と通過穴２３とを通過してガイド用線材２８を降下させると共に、ガイド用線材２８の下端に、解体重機１に装備した吊上ウインチ５から繰り出されるワイヤー６の先端を連結し、ガイド用線材２８を巻き上げてワイヤー６を建物２０の下階から上階に挿通することができる。
【００１８】
以上の解体方法は、下階に配置された解体重機の吊上ウインチから繰り出されるワイヤーをガイド用線材を介して巻き上げるので、簡単かつ容易に通過穴と貫通孔に通過させて上階に引き上げ、建物の下階から上階に挿通することができる。また、第穿孔工程において、複数階にわたって上階の床に貫通孔を穿孔する際には、階上の床に開口された貫通孔からガイド用線材を階下の床面まで降下させて位置決めすることで、簡単かつ用意に、各階に穿孔される貫通孔を垂直方向に直線状に配置することができる。
【００１９】
本発明の建物の解体方法は、建物２０を破壊する解体具１２をアーム２の先端に装備する解体重機１を建物２０の上階に移動する重機移動工程と、建物２０の上階に移動された解体重機１が建物２０を上階から下階に解体しながら降下する解体工程とで建物２０を解体する。重機移動工程は、解体重機１が配置される階の天井２７である階上の床２２よりも上階の床２２に、ワイヤー６を挿通可能な貫通孔２４を上下に貫通して穿孔する穿孔工程と、貫通孔２４が開口された上階の床面に、解体重機１を吊り上げることができる吊り上げ力の吊上ウインチ５を設置するウインチ設置工程と、貫通孔２４の真下の位置において、解体重機１で天井２７の一部を破壊して解体重機１を通過できる通過穴２３を階上の床３３に開口する開口工程と、吊上ウインチ５から繰り出されるワイヤー６を、貫通孔２４と通過穴２３とに通過させて建物２０の上階から下階に挿通するワイヤー挿通工程と、ワイヤー６の先端を解体重機１に固定するワイヤー固定工程と、吊上ウインチ５でワイヤー６を巻き取って、解体重機１を吊り上げて通過穴２３に通過させて建物２０の上階に移動する重機吊り上げ工程とで、解体重機１を建物の上記に移動する。
【００２０】
以上の解体方法は、建物の上階に設置される吊上ウインチを簡単かつ確実に固定しながら、重量の大きな解体重機を安定して吊り上げ解体重機を建物の上階に移動させることができる。それは、吊上ウインチを床面に設置することで、解体重機の大きな加重でワイヤーが下方に強く引かれる状態においても、吊上ウインチを床面で確実に支持できるからである。このため、従来のように吊上ウインチを固定するための強固な架台等を必要とせず、コストを低減しながら吊上ウインチを確実に床面に固定することができる。また、この解体方法は、建物の上階に穿孔された貫通孔の上に吊上ウインチを配置することで、貫通孔に挿通されるワイヤーを無理なく安定して巻き取りできる特徴も実現できる。
【００２１】
本発明の建物の解体方法は、穿孔工程において、複数階にわたって上階の床２２に貫通孔２４を穿孔すると共に、各階に穿孔される貫通孔２４を垂直方向に直線状に配置し、さらに、重機吊り上げ工程の後工程として、解体重機１を吊り上げて通過させた通過穴２３に支持部材２６を橋渡しして、支持部材２６上に解体重機１を載せて支持する重機支持工程と、支持部材２６で支持された解体重機１で、天井２７の一部であって貫通孔２４の周囲を破壊して解体重機１を通過できる通過穴２３を階上の床２２に開口する第２開口工程とを備え、重機吊り上げ工程と重機支持工程と第２開口工程とを繰り返して、解体重機１を複数階にわたって建物２０の上階に移動させることができる。
【００２２】
以上の解体方法は、建物の上階に設置された吊上ウインチで解体重機を吊り上げる構造としながら、解体重機の吊り上げ位置においては、複数階にわたって開口された貫通孔に挿通されたワイヤーで解体重機を吊り上げながら、上階の床の一部を解体重機で破壊して簡単かつ容易に通過穴を開口することができる。
【図面の簡単な説明】
【００２３】
【図１】本発明の一実施形態にかかる建物の解体方法の重機移動工程を示す概略工程図である。
【図２】本発明の一実施形態にかかる建物の解体方法に使用する解体重機の一例を示す側面図である。
【図３】本発明の一実施形態にかかる建物の解体方法に使用する解体重機の他の一例を示す側面図である。
【図４】図１に示す重機移動工程の穿孔工程とワイヤー挿通工程を示す概略工程図である。
【図５】本発明の他の実施形態にかかる建物の解体方法の重機移動工程を示す概略工程図である。
【図６】本発明の他の実施形態にかかる建物の解体方法の重機移動工程を示す概略工程図である。
【発明を実施するための形態】
【００２４】
以下、本発明の実施例を図面に基づいて説明する。ただし、以下に示す実施例は、本発明の技術思想を具体化するための建物の解体方法を例示するものであって、本発明は建物の解体方法を以下の方法には特定しない。さらに、この明細書は、特許請求の範囲に示される部材を、実施例の部材に特定するものでは決してない。
【００２５】
本発明の建物の解体方法は、建物を破壊する解体具をアームの先端に装備する解体重機を建物の上階に移動する重機移動工程と、建物の上階に移動された解体重機が建物を上階から下階に解体しながら降下する解体工程とで建物を解体する。本発明の建物の解体方法は、重機移動工程で解体重機を建物の上階に移動させるが、従来のように、建物の各階に解体重機を通過させる大きな通過穴をあらかじめ開口することなく、上階に穿孔された貫通孔に挿通されたワイヤーを介して吊り上げられる解体重機を使用して、各階の天井（階上の床）に解体重機の通過穴を開口して解体重機を上階へと移動させることを特徴とする。すなわち、本発明は、解体重機を建物の上階に移動させる重機移動工程を特徴とするものである。以下、重機移動工程について詳述する。
【００２６】
（実施形態１）
図１は、実施形態１にかかる建物の解体方法における重機移動工程の工程図を示している。図１に示す重機移動工程は、図２に示す吊上ウインチ５を装備する解体重機１を使用して、解体重機１を建物の上階に移動させる例を示している。なお、図１では、解体される建物２０を５階建てとし、解体重機１を１階から５階まで移動する工程を示している。ただ、本発明の解体方法は、解体される建物の階数を限定せず、２階以上の全ての建物に採用することができる。
【００２７】
［重機移動工程］
図１に示す重機移動工程は、解体重機１を吊り上げることができる吊り上げ力の吊上ウインチ５を解体重機１に装備する重機準備工程と、解体重機１が配置される階の天井２７である階上の床２２よりも上階の床２２に、ワイヤー６を挿通可能な貫通孔２４を上下に貫通して穿孔する穿孔工程と、貫通孔２４の真下の位置において、解体重機１で天井２７の一部を破壊して解体重機１を通過できる通過穴２３を階上の床２２に開口する開口工程と、解体重機１に装備した吊上ウインチ５から繰り出されるワイヤー６を、通過穴２３と貫通孔２４とに通過させて建物２０の下階から上階に挿通するワイヤー挿通工程と、貫通孔２４に挿通されたワイヤー６の先端を建物２０の上階に固定するワイヤー固定工程と、吊上ウインチ５でワイヤー６を巻き取って、解体重機１を吊り上げて通過穴２３に通過させて建物２０の上階に移動する重機吊り上げ工程とで解体重機１を建物２０の上階に移動させる。
【００２８】
さらに、図１に示す重機移動工程は、穿孔工程において、複数階にわたって上階の床２２に貫通孔２４を穿孔して、各階に穿孔される貫通孔２４を垂直方向に直線状に配置すると共に、重機吊り上げ工程の後工程として、解体重機１を吊り上げて通過させた通過穴２３に支持部材２６を橋渡しして、支持部材２６上に解体重機１を載せて支持する重機支持工程と、支持部材２６で支持された解体重機１で、天井２７の一部であって貫通孔２４の周囲を破壊して解体重機１を通過できる通過穴２３を階上の床２２に開口する第２開口工程とを備え、重機吊り上げ工程と重機支持工程と第２開口工程とを繰り返して、解体重機１を複数階にわたって建物２０の上階に移動させる。
【００２９】
［重機準備工程］
重機準備工程では、解体重機１を吊り上げることができる吊り上げ力の吊上ウインチ５を解体重機１に装備する。解体重機１に装備される吊上ウインチ５は、重機本体を吊り上げ可能な吊り上げ力を有しており、図２または図３に示すように、重機本体４を吊り上げ可能な位置に配置される。吊上ウインチ５を装備する解体重機１の構造については詳細には後述する。
【００３０】
［穿孔工程］
穿孔工程では、図１の（１）に示すように、解体重機１が配置される階である１階の天井２７、すなわち階上である２階の床２２よりも上階の床２２に、ワイヤー６を挿通可能な貫通孔２４を上下に貫通して穿孔する。図１の（１）では、３階以上の床２２であって、屋上２１の床２２まで、複数階にわたって上階の床２２に貫通孔２４を穿孔している。複数階にわたって設けられる貫通孔２４は、各階の床２２を上下に貫通すると共に、各階の貫通孔２４が垂直方向に直線状に位置するように穿孔される。
【００３１】
穿孔工程で開口される貫通孔２４は、解体重機１を吊り上げるワイヤー６を挿通可能な大きさであって、たとえば、内径を１〜２０ｃｍ、好ましくは２〜１５ｃｍの大きさに穿孔される。貫通孔２４は、床２２のコンクリートに穿孔機で穿孔される。穿孔機には、電動ドリルやホールソー、あるいは、コンクリートを破砕する電動ハンマ等が使用される。このように、穿孔工程において、電動工具を使用することで、簡単かつ容易に、しかも短時間で低コストに、床２２のコンクリートに小さな径の貫通孔２４を開口できる。
【００３２】
穿孔工程において、複数階にわたって床２２に貫通孔２４を開口する際には、各階に穿孔される貫通孔２４を垂直方向に直線状に設けるために、図４の（１）〜（４）に示すように、ガイド用線材２８を使用する。ガイド用線材２８は、ロープやテグス等の細くて長い線材で、先端に錘２９をつけて階上から階下へと降下させることで、垂直方向の位置決めをしながら各階の床２２に穿孔される貫通孔２４を直線状に設けることができる。
【００３３】
この穿孔工程では、以下のようにして複数階にわたって上階の床２２に貫通孔２４を設ける。
（１）図４の（Ａ）に示すように、最上階である屋上２１の床２２に貫通孔２４を穿孔する。
（２）図４の（Ｂ）に示すように、この貫通孔２４から、先端に錘２９を付けたガイド用線材２８を降下させる。図４の（Ｂ）では、屋上２１の床２２から階下の５階の床２２までガイド用線材２８を降下させる状態を示している。
（３）降下されるガイド用線材２８により、階下の床２２に貫通孔２４を穿孔する位置を特定し、この位置に、図４の（Ｃ）に示すように、貫通孔２４を穿孔する。
（４）同様にして、図４の（Ｄ）に示すように、さらに階下の床２２に貫通孔２４を穿孔する位置をガイド用線材２８で特定しながら、複数階にわたって上階の床２２を上下に貫通する貫通孔２４を垂直方向に直線状に設ける。
【００３４】
［開口工程］
開口工程では、図１の（２）に示すように、解体重機１が配置される階の天井２７の一部を解体重機１で破壊して、解体重機１を通過できる大きさの通過穴２３を階上の床２２に開口する。図１の（２）は、１階に配置された解体重機１が解体具１２を使用して２階の床２２に通過穴２３を開口する状態を示している。通過穴２３は、さらに階上の床２２（図１においては３階）に開口された貫通孔２４の真下の位置に開口される。ここで、通過穴２３を開口する位置を特定するために、図４の（Ｅ）で示すように、前述の穿孔工程で上階から降下されたガイド用線材２８を使用することができる。通過穴２３は、上階に設けた貫通孔２４に挿通されるワイヤー６で吊り上げられる解体重機１が通過できるように、貫通孔２４の下方に位置して、解体重機１を通過できる大きさに開口される。
【００３５】
［ワイヤー挿通工程］
ワイヤー挿通工程では、図１の（３）に示すように、解体重機１に装備した吊上ウインチ５から繰り出されるワイヤー６を、通過穴２３と貫通孔２４とに通過させて建物２０の下階から上階に挿通する。この工程において、下階に配置された解体重機１の吊上ウインチ５から繰り出されるワイヤー６を貫通孔２４に通過させながら上階まで引き上げるために、図４の（Ｆ）〜（Ｈ）に示すように、前述の穿孔工程で上階から降下されたガイド用線材２８を使用する。図４の（Ｆ）に示すように、上階の貫通孔２４と通過穴２３とを通過して降下されたガイド用線材２８の下端に、吊上ウインチ５のワイヤー６の先端を連結する。図４の（Ｇ）に示すように、建物２０の上階において、ガイド用線材２８を巻き上げて、ワイヤー６を引き上げる。図４の（Ｈ）に示すように、吊上ウインチ５から繰り出されるワイヤー６を、通過穴２３と貫通孔２４とに通過させながら、上階（図においては屋上２１）まで引き上げる。
【００３６】
［ワイヤー固定工程］
ワイヤー固定工程では、貫通孔２４に挿通されたワイヤー６の先端を建物２０の上階に固定する。図１の（４）は、ワイヤー６の先端を屋上２１の床２２に固定する状態を示している。貫通孔２４に挿通されたワイヤー６は、床２２の上面であって貫通孔２４の上に配置される金属製の固定部材２５にその先端が連結される。上階の床２２に穿孔された貫通孔２４に挿通されるワイヤー６は、先端が固定部材２５に連結されることで、上階の床２２に固定される。床２２の上面に配置される固定部材２５は、ワイヤー６が下方向に引っ張られる状態においても、確実に支持できる。それは、固定部材２５を貫通孔２４よりも大きくすることで、階下に落下するのを阻止できるからである。したがって、固定部材２５には、好ましくは、ワイヤー６で吊り上げられる解体重機１の加重で変形しない強度の金属部材が使用される。このような固定部材として、たとえば、金属製の鋼材が使用できる。ただ、固定部材２５には、金属製のパイプ、ロッド、ブロック等も使用できる。さらに、ワイヤー６の先端は、建物の躯体の一部、たとえば柱や梁に連結して固定することもできる
【００３７】
［重機吊り上げ工程］
重機吊り上げ工程では、図１の（５）に示すように、吊上ウインチ５でワイヤー６を巻き取って、解体重機１を吊り上げて通過穴２３に通過させて建物２０の上階に移動する。図１の（５）は、解体重機１を建物２０の１階から２階に吊り上げる状態を示している。解体重機１は、図２と図３に示すように、吊上ウインチ５を無線のリモコン操作部１１でコントロールできるようにしている。この解体重機１は、無線のリモコン操作部１１で吊上ウインチ５の巻取ドラム１３をコントロールし、巻取ドラム１３にワイヤー６を巻き取って、解体重機１を吊り上げて通過穴２３に通過させて上階に移動する。無線のリモコン操作部１１によらず、オペレータキャビン８の操作レバーで巻取ドラム１３をコントロールする解体重機１は、オペレーターがオペレータキャビン８のシートに座って操作レバーで巻取ドラム１３の回転を制御して、ワイヤー６を巻取ドラム１３に巻き取って解体重機１を吊り下げる。
【００３８】
［重機支持工程］
重機支持工程では、図１の（６）に示すように、解体重機１を吊り上げて通過させた通過穴２３に支持部材２６を橋渡しして、支持部材２６上に解体重機１を載せて支持する。支持部材２６は、通過穴２３を橋渡しして解体重機１を載せることができる長さと幅を有する歩み板が使用できる。さらに、支持部材２６は、通過穴２３を橋渡しした状態で解体重機１を支持できる強度も備えている。さらにまた、支持部材２５は、歩み板に加えて、あるいは歩み板に代わって、鋼材や鉄板を使用して解体重機１を支持することもできる。支持部材２６は、重機吊り上げ工程において解体重機１を通過穴２３が開口された床よりも高く吊り上げた状態で、解体重機１の下方において通過穴２３に橋渡しされる。その後、巻取ドラム１３を逆転してワイヤー６を繰り出して解体重機１が支持部材１の上に配置される。
【００３９】
［第２開口工程］
第２開口工程では、図１の（６）に示すように、支持部材２６で支持された解体重機１を使用して、天井２７に通過穴２３を開口する。解体重機１は、天井２７の一部であって、貫通孔２４の周囲を解体具１２で破壊して、解体重機１を通過できる通過穴２３を階上の床２２に開口する。図１の（６）は、２階に配置された解体重機１を使用して３階の床２２に通過穴２３を開口する状態を示している。通過穴２３は、さらに上階に設けた貫通孔２４の下方に位置して、解体重機１を通過できる大きさに開口される。
【００４０】
さらに、重機移動工程は、以上の重機吊り上げ工程と重機支持工程と第２開口工程とを繰り返して、解体重機１を複数階にわたって建物２０の上階に移動させる。すなわち、重機移動工程は、重機吊り上げ工程で上階に吊り上げられた解体重機１を、重機支持工程において通過穴２３に橋渡しした支持部材２６で支持し、第２開口工程において解体重機１を使用して階上の床２２に通過穴２３を開口し、重機吊り上げ工程において解体重機１を吊り上げて通過穴２３に通過させて上階に移動する。これらの工程を繰り返すことで、図１の（８）に示すように、解体重機１を複数階にわたって建物２０の上階に移動させる。図１の（８）では、解体重機１を建物２０の最上階である５階の床２２まで吊り上げる状態を示している。最上階まで吊り上げられた解体重機１は、最上階の通過穴２３に歩み板を橋渡しし、解体重機１をこの歩み板の上に下ろした後、歩み板から床面に乗り入れて移動させる。あるいは、解体重機１を最上階の床面よりも高く吊り上げた状態で、解体重機１を水平方向に引っ張って通過穴２３の横に移動し、巻取ドラム１３を逆転してワイヤー６を繰り出して解体重機１を床上に移動させる。
【００４１】
［解体工程］
以上のように、重機移動工程で建物２０の上階に移動された解体重機１を使用して、建物を解体しながら降下する。解体工程では、建物２０の最上階に移動された解体重機１のオペレータキャビン８にオペレーターが入り、シートに座って操作レバーを操作して、建物２０を上階から下階に解体しながら降下して建物全体を解体する。最上階に移動された解体重機１は、天井である屋上部分と壁を解体し、さらに床２２の一部を解体して、下の階に移動する。各階においても、解体重機１は、天井と壁を解体し、さらに床２２の一部を解体しながら、下の階に移動する。解体重機１が下の階に移動する方法は、従来から行われているように、歩み板を敷設してその上を移動して降下し、あるいは解体したがれきで下の階に移動する通路を設けて降下する。
【００４２】
以上の実施形態１にかかる重機移動工程では、複数階にわたって上階の床２２に垂直方向に直線状に貫通孔２４を開口し、これらの貫通孔２４に挿通されたワイヤー６を介して最下階の解体重機１を最上階の床２２まで吊り上げる例を示したが、本発明の解体方法では、以下に示すように、貫通孔と通過穴を設ける場所を変えながら、すなわち、解体重機を吊り上げる位置を変えながら解体重機を建物の上階へと移動させることもできる。
【００４３】
（実施形態２）
図５は、実施形態２にかかる建物の解体方法における重機移動工程の工程図を示している。図５に示す重機移動工程では、図３に示す吊上ウインチ５を装備する解体重機１を使用して、解体重機１を建物の上階に移動させる例を示している。なお、図５では、解体される建物２０を３階建てとし、解体重機１を１階から３階まで移動する工程を示している。
【００４４】
［重機移動工程］
図５に示す重機移動工程では、まず、図５の（１）〜（４）に示すように、前述の重機準備工程、穿孔工程、開口工程、ワイヤー挿通工程、ワイヤー固定工程、及び重機吊り上げ工程により解体重機１を建物２０の上階に移動させる。図５に示す穿孔工程では、図１のように複数階にわたって上階の床２２に貫通孔２４を開口することなく、３階の床２２にのみ貫通孔２４を開口している。このため、ワイヤー挿通工程及びワイヤー固定工程では、３階の床２２に設けた貫通孔２４に挿通されたワイヤー６を３階の床２２に固定し、重機吊り上げ工程では、解体重機１を１階から２階の床２２まで吊り上げている。
【００４５】
さらに、重機移動工程は、図５の（５）〜（８）に示すように、重機吊り上げ工程で建物の上階に移動された解体重機１を、上階の床面上に乗り入れる乗り入れ工程と、解体重機１を乗り入れた階の天井２７である階上の床２２よりも上階の床２２に、ワイヤー６を挿通可能な貫通孔２４を上下に貫通して穿孔する第２穿孔工程と、穿孔された貫通孔２４の真下の位置において、解体重機１で天井２７の一部を破壊して解体重機１を通過できる通過穴２４を階上の床２２に開口する第３開口工程と、解体重機１に装備してなる吊上ウインチ５から繰り出されるワイヤー６を、通過穴２３と貫通孔２４とに通過させて建物２０の下階から上階に挿通する第２ワイヤー挿通工程と、ワイヤー６の先端を建物２０の上階に固定する第２ワイヤー固定工程と、吊上ウインチ５でワイヤー６を巻き取って、解体重機１を吊り上げて通過穴２３に通過させて建物２０の上階に移動する第２重機吊り上げ工程とにより、解体重機を建物の上階に移動させる。
【００４６】
［乗り入れ工程］
乗り入れ工程では、重機吊り上げ工程で吊り上げられた解体重機１を上階の床２２の上に乗り入れる。重機吊り上げ工程において、通過穴２３を通過して吊り上げられた解体重機１は、通過穴２３に歩み板を橋渡しし、解体重機１をこの歩み板の上に下ろした後、歩み板から床面に乗り入れて移動させる。あるいは、解体重機１を床面よりも高く吊り上げた状態で、解体重機１を水平方向に引っ張って通過穴２３の横に移動し、巻取ドラム１３を逆転してワイヤー６を繰り出して解体重機１を床面上に移動させる。
【００４７】
［第２穿孔工程］
第２穿孔工程では、図５の（５）に示すように、解体重機１を乗り入れた２階の天井２７である３階の床２２よりも上階の床２２、すなわち図５においては屋上の床２２に、ワイヤー６を挿通可能な貫通孔２４を上下に貫通して穿孔する。なお、この第２穿孔工程では、前述の穿孔工程と同様にして、床２２のコンクリートに、所定の大きさの貫通孔２４を穿孔する。
【００４８】
［第３開口工程］
第３開口工程では、図５の（６）に示すように、上階の床面上に配置された解体重機１を使用して、天井２７に通過穴２３を開口する。解体重機１は、天井２７の一部を解体具１２で破壊して、解体重機１を通過できる通過穴２３を階上の床２２に開口する。図５の（６）は、２階に配置された解体重機１を使用して３階の床２２に通過穴２３を開口する状態を示している。通過穴２３は、屋上２１に設けた貫通孔２４の下方に位置して、解体重機１を通過できる大きさに開口される。
【００４９】
［第２ワイヤー挿通工程］
図５の（７）に示すように、解体重機１に装備した吊上ウインチ５から繰り出されるワイヤー６を、３階に開口された通過穴２３と屋上２１に穿孔された貫通孔２４とに通過させて建物２０の下階から上階に挿通する。
【００５０】
［第２ワイヤー固定工程］
さらに、図５の（７）に示すように、貫通孔２４に挿通されたワイヤー６の先端を建物２０の上階に固定する。図５の（７）は、ワイヤー６の先端を屋上２１の床２２に固定する状態を示している。貫通孔２４に挿通されたワイヤー６は、床２２の上面であって貫通孔２４の上に配置される金属製の固定部材２５にその先端が連結されて、上階の床２２に固定される。
【００５１】
［第２重機吊り上げ工程］
第２重機吊り上げ工程では、図５の（８）に示すように、吊上ウインチ５でワイヤー６を巻き取って、解体重機１を吊り上げて通過穴２３に通過させて建物２０の上階に移動する。解体重機１は、前述と同様にして、無線のリモコン操作部１１で吊上ウインチ５をコントロールして、あるいは、オペレーターがオペレータキャビン８の操作レバーを操作して、巻取ドラム１３の回転を制御して、ワイヤー６を巻取ドラム１３に巻き取って解体重機１を吊り下げる。
【００５２】
図５の（８）では、解体重機１を建物２０の２階から最上階である３階の床２２まで吊り上げる状態を示している。最上階まで吊り上げられた解体重機１は、最上階の通過穴２３に歩み板を橋渡しし、解体重機１をこの歩み板の上に下ろした後、歩み板から床面に乗り入れて移動させる。あるいは、解体重機１を最上階の床面よりも高く吊り上げた状態で、解体重機１を水平方向に引っ張って通過穴２３の横に移動し、巻取ドラム１３を逆転してワイヤー６を繰り出して解体重機１を床上に配置する。
【００５３】
以上の重機移動工程では、前述の重機支持工程及び第２開口工程を経ることなく、解体重機１を複数階にわたって上階に移動することができる。この方法は、重機支持工程や第２開口工程を省略することで、強固な支持部材２６を使用して解体重機１を支持することなく、また、この支持部材２６で解体重機１を支持する状態で階上の床２２に通過穴２３を開口することなく、上階の床２２に乗り入れた解体重機１を使用して、安全に、しかも安定して階上の床２２に通過穴２３を開口することができる。それは、上階の床面上に解体重機１を乗り入れることで、解体重機１を床２２で安定して支持することができるからである。
【００５４】
また、図５に示す重機移動工程では、建物２０を３階建てとして、解体重機を１階から２階まで吊り上げる場所と、２階から３階まで吊り上げる場所を異なる場所としたが、本発明の解体方法は、建物２０を４階建て以上として、前述の乗り入れ工程から第２重機吊り上げ工程までを繰り返すことで、解体重機１を吊り上げる場所を各階で変更しながら、解体重機を上階まで移動させることもできる。
【００５５】
さらに、図５に示す重機移動工程では、建物２０を３階建てとして、穿孔工程及び第２穿孔工程では、複数階にわたって上階の床２２に貫通孔２４を開口することなく、通過穴２３が開口される床２２よりもひとつ階上の床２２にのみ貫通孔２４を設けている。ただ、実施形態２にかかる重機移動工程は、建物を４階建て以上として、穿孔工程又は第２穿孔工程において、複数階にわたって上階に床に貫通孔を穿孔することもできる。穿孔工程において、複数階にわたって貫通孔を開口する場合には、前述の実施形態１と同様にして、すなわち、重機吊り上げ工程と重機支持工程と第２開口工程とを繰り返して、解体重機を複数階にわたって建物の上階に移動させることができる。
【００５６】
また、第２穿孔工程において複数階にわたって貫通孔を開口する場合には、第２重機吊り上げ工程の後工程として、解体重機を吊り上げて通過させた通過穴に支持部材を橋渡しして、支持部材上に解体重機を載せて支持する第２重機支持工程と、第２支持部材で支持された解体重機で、天井の一部であって貫通孔の周囲を破壊して解体重機を通過できる通過穴を階上の床に開口する第４開口工程とを備えて、第２重機吊り上げ工程と第２重機支持工程と第４開口工程とを繰り返して、解体重機１を複数階にわたって建物の上階に移動させることができる。
【００５７】
（解体重機１）
以下、実施形態１及び２にかかる重機移動工程に使用する解体重機１であって、吊上ウインチ５を装備する解体重機１について詳述する。図２と図３に示す解体重機１は、先端に建物を破壊する解体具１２を装備するアーム２と自走用の無限軌道３とを備える。さらに、解体重機１は、アーム２及び無限軌道３とを備える重機本体４と、この重機本体４をワイヤー６を介して吊り上げる吊上ウインチ５とを備える。
【００５８】
重機本体４は、両側に一対の無限軌道３を装備す１る走行ベース７と、走行ベース７の上面に水平面内で回転できるように連結しているオペレータキャビン８及びアーム２を装備する回転ベース９とを備える。
【００５９】
重機本体４の回転ベース９は、オペレータキャビン８の後方にエンジンキャビン１０を設けて、オペレータキャビン８の側部ないし前部にアーム２を連結している。オペレータキャビン８は、内部にオペレーターシート（図示せず）があって、このオペレーターシートに座るオペレーターが操作する複数の操作レバー（図示せず）を設けている。操作レバーは、無限軌道用と、回転ベース用と、アーム用とがある。無限軌道用の操作レバーは、これが操作されて一対の無限軌道３の前進と後退を制御して、重機本体４を前後にあるいは左右に曲がるように移動させる。回転ベース用の操作レバーは、回転ベース９を水平面内で回転させる。アーム２の操作レバーは、アーム２を制御して、アーム２先端に連結している建物を破壊する解体具１２を立体的に移動させると共に、解体具１２を操作して建物を解体する。
【００６０】
エンジンキャビン１０は、オペレータキャビン８よりも低く、内部に解体重機１を駆動するための駆動機構であるエンジン（図示せず）を内蔵している。
【００６１】
吊上ウインチ５はワイヤー６を巻き取って重機本体４を吊り上げる巻取ドラム１３を有する。巻取ドラム１３は、エンジンで駆動される油圧ポンプから供給される加圧オイルで駆動される油圧モータ（図示せず）で回転される。吊上ウインチ５は、巻取ドラム１３にワイヤー６を巻き取って解体重機１を建物の上階に吊り上げる。巻取ドラム１３に巻き取られるワイヤー６は、建物の上階に連結される。
【００６２】
吊上ウインチ５は、重機本体４を吊り上げ可能な位置で重機本体４に連結される。好ましくは、吊上ウインチ５は、重機本体４をほぼ水平姿勢で吊り上げる位置で重機本体４に連結される。吊上ウインチ５は、無線のリモコン操作部１１で巻取ドラム１３の回転状態がコントロールされる。無線のリモコン操作部１１で巻取ドラム１３の回転を制御できる解体重機１は、オペレーターが解体重機１に載ることなく、外部から巻取ドラム１３の回転を制御して、解体重機１を安全に吊り下げできる。ただし、オペレータキャビン８内に巻取ドラム１３の回転を制御する操作レバーを設けて、この操作レバーで巻取ドラム１３の回転を制御することもできる。
【００６３】
吊上ウインチ５は、図１と図５に示すようにワイヤー６の先端を建物２０の上階に配置された固定部材２５に連結して解体重機１を吊り上げる。図１と図５に示すように、ワイヤー６の先端を建物２０の上階に連結して吊り上げる解体重機１は、ワイヤー６で重機本体４を吊り上げる位置を、解体重機１の重心より高い位置とすることで重機本体４をほぼ水平姿勢としながら安定に吊り上げることができる。
【００６４】
図２の解体重機１は、吊上ウインチ５を重機本体４のオペレータキャビン８の上面に固定している。この図の解体重機１は、吊上ウインチ５の固定位置を解体重機１の重心よりも高い位置にできるので、重機本体４を水平姿勢で安定に吊り上げできる。この吊上ウインチ５は、巻取ドラム１３がワイヤー６を巻き取るトルクを解体重機１の重量よりも強くして、解体重機１を吊り上げることができる。
【００６５】
図３の解体重機１は、アーム２の中間部に、ワイヤー６を引っ掛ける滑車１５を固定している。この解体重機１は、吊上ウインチ５をエンジンキャビン１０の上面に固定しており、吊上ウインチ５から繰り出されたワイヤー６を、図５に示すように、アーム２に設けた滑車１５を介して建物２０の上階に連結している。この解体重機１は、吊上ウインチ５の固定位置をエンジンキャビン１０の上面とすることで、吊上ウインチ５を安定して固定しながら、アーム２に設けた滑車１５にワイヤー６を掛けて吊り上げるので、ワイヤー６で重機本体４を吊り下げる位置を、解体重機１の重心より高い位置にできる。とくに、この解体重機１は、図３の鎖線で示すように、アーム２を後方に傾動させることで、滑車１５の前後位置を調整して、解体重機１の重心の真上に接近して配置することで、図５に示すように、重い重機本体４を水平姿勢に保持した状態で安定して吊り上げできる。この吊上ウインチ５は、巻取ドラム１３がワイヤー６を巻き取るトルクを解体重機１の重量よりも強くして、解体重機１を吊り上げることができる。
【００６６】
図３に示す重機本体４のアーム２は、回転ベース９に連結される第１アーム２Ａと、この第１アーム２Ａの先端部に連結される第２アーム２Ｂとを備えており、第１アーム２Ａの先端部であって、第２アーム２Ｂとの連結部の近傍に滑車１５を固定している。このように、回転ベース９に連結される第１アーム２Ａに滑車１５を固定する構造は、滑車１５を介して、重い重機本体４を安定して吊り下げできる。また、第１アーム２Ａの先端部に滑車１５を固定するので、第１アーム２Ａを傾動させる状態での滑車１５の移動範囲を大きくでき、滑車１５の位置を理想的に移動できる。ただ、解体重機１は、必ずしも第１アーム２Ａの先端部に滑車１５を固定する必要はなく、図３の鎖線で示すように、第１アーム２Ａの中間部や、図示しないが第１アームの根元部分に固定することもできる。さらに、解体重機１は、アーム２に複数の滑車１５を固定することもできる。アーム２に固定される複数の滑車１５は、ワイヤー６の引き出し方向に並べて配置される。この解体重機１は、複数の滑車１５にワイヤー６を掛けることで、ワイヤー６の脱落を防止しながら安全にワイヤー６を巻き取りできる。
【００６７】
以上のように、図３の解体重機１は、重機本体４をワイヤー６で吊り上げる状態では、アーム２に設けた滑車１５の位置が解体重機１の水平面内のほぼ中央部に位置するようにアーム２の位置を調整し、図２の解体重機１は、吊上ウインチ５の固定位置を解体重機１の水平面内のほぼ中央部に配置している。これらの解体重機１は、重心よりも高い１点を吊上ウインチ５で吊り下げて、解体重機１をほぼ水平姿勢で吊り上げする。１点を吊上ウインチ５で吊り上げる解体重機１は、吊り下げ位置を解体重機１の重心位置よりも高くし、さらに吊り下げ位置を解体重機１の水平面内における重心位置の近傍とする。吊り下げ位置が重心よりも高い位置にあっても、水平面内において重心位置からずれると、解体重機１を水平姿勢に保持できなくなるからである。解体重機１は、水平姿勢で吊り上げるのを理想とするが、多少傾斜して、たとえば水平面に対する傾斜角を４５度以内として、安全に吊り上げることができる。したがって、本明細書において解体重機１をほぼ水平姿勢で吊り上げるとは、水平面に対する傾斜角を４５度以内とする状態を意味するものとする。
【００６８】
以上の実施形態１及び実施形態２は、吊上ウインチ５が装備された解体重機１を使用するが、本発明の解体方法は、吊上ウインチ５が装備された解体重機１を使用することなく、吊上ウインチを建物の上階の床面に配置し、この吊上ウインチで解体重機を吊り上げて建物の上階に移動させることもできる。
【００６９】
（実施形態３）
図６は、実施形態３にかかる建物の解体方法における重機移動工程の工程図を示している。図６に示す重機移動工程は、建物の上階に吊上ウインチ５を配置し、この吊上ウインチ５から繰り出されるワイヤー６を各階の床２２に開口した貫通孔２４から下方に垂らし、ワイヤー６の先端を階下の解体重機１に固定して、吊上ウインチ５を使って解体重機１を吊り上げている。なお、図６では、解体される建物２０を５階建てとし、解体重機１を１階から５階まで移動する工程を示している。
【００７０】
［重機移動工程］
図６に示す重機移動工程は、解体重機１が配置される階の天井２７である階上の床２２よりも上階の床２２に、ワイヤー６を挿通可能な貫通孔２４を上下に貫通して穿孔する穿孔工程と、貫通孔２４が開口された上階の床面に、解体重機１を吊り上げることができる吊り上げ力の吊上ウインチ５を設置するウインチ設置工程と、貫通孔２４の真下の位置において、解体重機１で天井２７の一部を破壊して解体重機１を通過できる通過穴２３を階上の床２２に開口する開口工程と、吊上ウインチ５から繰り出されるワイヤー６を、貫通孔２４と通過穴２３とに通過させて建物２０の上階から下階に挿通するワイヤー挿通工程と、ワイヤー６の先端を解体重機１に固定するワイヤー固定工程と、吊上ウインチ５でワイヤー６を巻き取って、解体重機１を吊り上げて通過穴２３に通過させて建物２０の上階に移動する重機吊り上げ工程とで解体重機１を上階に移動させる。
【００７１】
さらに、図６に示す重機移動工程は、穿孔工程において、複数階にわたって上階の床２２に貫通孔２４を穿孔すると共に、各階に穿孔される貫通孔２４を垂直方向に直線状に配置し、さらに、重機吊り上げ工程の後工程として、解体重機１を吊り上げて通過させた通過穴２３に支持部材２６を橋渡しして、支持部材２６上に解体重機１を載せて支持する重機支持工程と、支持部材２６で支持された解体重機１で、天井２７の一部であって貫通孔２４の周囲を破壊して解体重機１を通過できる通過穴２３を階上の床２２に開口する第２開口工程とを備え、重機吊り上げ工程と重機支持工程と第２開口工程とを繰り返して、解体重機１を複数階にわたって建物２０の上階に移動させる。
【００７２】
［穿孔工程］
穿孔工程では、図６の（１）と（２）に示すように、解体重機１が配置される階である１階の天井２７、すなわち階上である２階の床２２よりも上階の床２２に、ワイヤー６を挿通可能な貫通孔２４を上下に貫通して穿孔する。図６の（２）では、３階以上の床２２であって、屋上２１の床２２まで、複数階にわたって上階の床２２に貫通孔２４を穿孔している。複数階にわたって設けられる貫通孔２４は、各階の床２２を上下に貫通すると共に、各階の貫通孔２４が垂直方向に直線状に位置するように穿孔される。
【００７３】
［ウインチ設置工程］
ウインチ設置工程では、図６の（１）に示すように、貫通孔２４が開口された屋上２１の床２２の上に吊上ウインチ５を設置する。吊上ウインチ５は、解体重機１を吊り上げることができる吊り上げ力を有している。吊上ウインチ５は、ワイヤー６を巻き取る巻取ドラム１３を有しており、この巻取ドラム１３を電動機（図示せず）で回転させて解体重機１を吊り上げるようにしている。吊上ウインチ５は、本体フレームが床面のコンクリートにボルト等を介して固定される。
【００７４】
さらに、穿孔工程において、複数階にわたって床２２に貫通孔２４を開口する際には、図６の（１）に示すように、巻取ドラム１３を逆転させてワイヤー６を繰り出し、貫通孔２４から降下されるワイヤー６を繰り出して階下の床面に穿孔される貫通孔２４の位置を決めることができる。ワイヤー６は、先端に錘２９を付けると共に、貫通孔２４に挿通されて階上から階下へと降下させる。これにより、各階に穿孔される貫通孔２４の垂直方向の位置決めをしながら各階の床２２に穿孔される貫通孔２４を直線状に設けることができる。
【００７５】
［開口工程］
開口工程では、図６の（２）に示すように、解体重機１が配置される階の天井２７の一部を解体重機１の解体具１２で破壊して、解体重機１を通過できる大きさの通過穴２３を階上の床２２に開口する。図６の（２）は、１階に配置された解体重機１が解体具１２を使用して２階の床２２に通過穴２３を開口する状態を示している。この通過穴２３は、さらに階上の床２２（図１においては３階）に開口された貫通孔２４の真下の位置に開口される。
【００７６】
［ワイヤー挿通工程］
吊上ウインチ５から繰り出されるワイヤー６を、貫通孔２４と通過穴２３とに通過させて建物２０の上階から下階に挿通する。ワイヤー６は、先端に錘２９を連結することで速やかに降下できる。
【００７７】
［ワイヤー固定工程］
１階まで降下されたワイヤー６の先端を解体重機１に固定する。この解体重機１には、吊上ウインチ５を装備していない一般的な解体重機が使用できる。
【００７８】
［重機吊り上げ工程］
重機吊り上げ工程では、図６の（４）と（５）に示すように、屋上２１に設置された吊上ウインチ５でワイヤー６を巻き取って、解体重機１を吊り上げて通過穴２３に通過させて建物２０の上階に移動する。図６の（５）は、解体重機１を建物２０の１階から２階に吊り上げる状態を示している。
【００７９】
［重機支持工程］
重機支持工程では、図６の（６）に示すように、解体重機１を吊り上げて通過させた通過穴２３に支持部材２６を橋渡しして、支持部材２６上に解体重機１を載せて支持する。
【００８０】
［第２開口工程］
第２開口工程では、図６の（６）に示すように、支持部材２６で支持された解体重機１を使用して、天井２７に通過穴２３を開口する。解体重機１は、天井２７の一部であって、貫通孔２４の周囲を解体具１２で破壊して、解体重機１を通過できる通過穴２３を階上の床２２に開口する。図６の（６）は、２階に配置された解体重機１を使用して３階の床２２に通過穴２３を開口する状態を示している。通過穴２３は、さらに上階に設けた貫通孔２４の下方に位置して、解体重機１を通過できる大きさに開口される。
【００８１】
さらに、重機移動工程は、以上の重機吊り上げ工程と重機支持工程と第２開口工程とを繰り返して、解体重機１を複数階にわたって建物２０の上階に移動させる。これらの工程を繰り返すことで、図６の（８）に示すように、解体重機１を複数階にわたって建物２０の上階に移動させる。図６の（８）では、解体重機１を建物２０の最上階である５階の床２２まで吊り上げる状態を示している。
【産業上の利用可能性】
【００８２】
本発明は、建物の周囲に解体重機を吊り上げる大型クレーンなどを設置できない都会などで、大型クレーンを使用することなく解体重機を吊り上げて安全に建物を解体する用途に便利に使用できる。
【符号の説明】
【００８３】
１…解体重機
２…アーム
２Ａ…第１アーム
２Ｂ…第２アーム
３…無限軌道
４…重機本体
５…吊上ウインチ
６…ワイヤー
７…走行ベース
８…オペレータキャビン
９…回転ベース
１０…エンジンキャビン
１１…リモコン操作部
１２…解体具
１３…巻取ドラム
１５…滑車
２０…建物
２１…屋上
２２…床
２３…通過穴
２４…貫通孔
２５…固定部材
２６…支持部材
２７…天井
２８…ガイド用線材
２９…錘
【図１】
2018053493.tif 000003
【図２】
2018053493.tif 000004
【図３】
2018053493.tif 000005
【図４】
2018053493.tif 000006
【図５】
2018053493.tif 000007
【図６】
2018053493.tif 000008